(57)【特許請求の範囲】
【請求項１】
冷蔵庫本体後方に圧縮機等を配置した機械室と電子制御部品を配置した制御基板を設けたものにおいて、前記制御基板を略密閉状態に覆うノイズ遮断する材料よりなる制御基板カバーと前記機械室を一体に覆う機械室カバーとにより２重に遮断する構成を備えたことを特徴とする冷蔵庫。
【請求項２】
制御基板カバーと機械室カバーとの間に間隙を設けたことを特徴とする請求項１に記載の冷蔵庫。
【請求項３】
圧縮機を冷却する冷却ファンを圧縮機と制御基板の間に設け、機械室カバーの制御基板カバー対向部に前記冷却ファンの吸気口を設けたことを特徴とする請求項２に記載の冷蔵庫。
【請求項４】
圧縮機の上方に冷凍サイクルのドライヤーを設け、圧縮機と前記ドライヤーとの間に機械室内の熱を排出する排気口を設けた機械室カバーで機械室を覆うことを特徴とする請求項１から３のいずれか一項に記載の冷蔵庫。
【発明の詳細な説明】
【０００１】
【発明の属する技術分野】
本発明は制御基板を設けた冷蔵庫に関し、特に制御基板のノイズ低減に関するものである。
【０００２】
【従来の技術】
近年、冷蔵庫においては安全面や多機能化への対応のしやすさなどから圧縮機その他の電気部品を電子制御するものが主流になっている。この種従来の冷蔵庫としては、特開平９−７９７２７号公報に示されているものがある。以下、図面を参照しながら上記従来の冷蔵庫の一例を説明する。
【０００３】
図６は従来の冷蔵庫の断面図である。図６において、１は冷蔵庫本体、２は庫内ファン（図示せず）等の電気部品を電子制御するための制御基板であり、冷蔵庫本体１内部に設置されている。３は冷凍サイクルの圧縮機、４は同じく冷凍サイクルのドライヤーであり、圧縮機３およびドライヤー４はいずれも冷蔵庫本体１の下部後方に形成した機械室内に収められ、さらにドライヤー４は圧縮機３の上方に配置されている。
【０００４】
ここで、制御基板にスイッチングレギュレーターなどを用いると、制御基板２からノイズが発生し、他の電気製品の誤動作や故障を誘発する恐れがあるが、冷蔵庫本体１の外側はノイズ遮断に有効な鉄板により囲まれているため、制御基板２により発生したノイズは外部の機器に影響を及ぼしにくく、誤動作、故障を誘発することが少ないというものである。
【０００５】
【発明が解決しようとする課題】
しかしながら、上記従来の構成では、ノイズを遮断する鉄板は１枚であり、制御基板からのノイズは全くなくなるわけではなく、他の電気製品に影響し誤動作、故障を誘発する虞は依然として残されていた。
【０００６】
また、制御基板２にインバーター回路が組み込まれている場合はより大きなノイズが発生する虞があり、より有効なノイズの遮断を行わなければ上記課題が生じるという欠点があった。
【０００７】
本発明は、上記の課題を解決するものであり、ノイズによる他の電気製品に対する影響を極力少なくすることを目的とする。
【０００８】
また、機械室内でドライヤー４が圧縮機３よりも上方にあるために圧縮機３の熱によりドライヤー４が加熱され、フラッシュガスの発生などにより冷媒流量が減少し、冷凍サイクルの冷凍能力が減少し、冷蔵庫の信頼性が低下するという欠点があった。
【０００９】
本発明の他の目的は、ドライヤーの加熱によるフラッシュガスの発生を防ぎ、信頼性の高い冷蔵庫を提供することである。
【００１０】
【課題を解決するための手段】
この課題を解決するために本発明の冷蔵庫は、冷蔵庫本体後方に機械室と電子制御部品を配置した制御基板を設け、制御基板を覆う制御基板カバーと機械室を一体に覆う機械室カバーとを備えたものである。
【００１１】
これにより、制御基板からのノイズの発生を抑えることができ、外部の電気部品に対する影響の少ない冷蔵庫とすることができる。
【００１２】
また、制御基板カバーと機械室カバーとの間に間隙を設けたものである。
【００１３】
これにより、制御基板の温度上昇を防止することができ、信頼性の高い冷蔵庫を提供することができる。
【００１４】
また、圧縮機を冷却する冷却ファンを圧縮機と制御基板の間に設け、機械室カバーの制御基板カバー対向部に吸気口を設けた構成としたものである。
【００１５】
これにより、制御基板を冷却することができ、信頼性の高い冷蔵庫を提供することができる。
【００１６】
また、圧縮機とドライヤーとの間に機械室内の熱を排出する排気口を設けた機械室カバーで機械室を覆う構成としたものである。
【００１７】
これにより、ドライヤーの加熱によるフラッシュガスの発生を防ぐことができ、信頼性の高い冷蔵庫とすることができる。
【００１８】
【発明の実施の形態】
本発明の請求項１に記載の発明は、冷蔵庫本体後方に圧縮機等を配置した機械室と電子制御部品を配置した制御基板を設けたものにおいて、前記制御基板を略密閉状態に覆うノイズ遮断する材料よりなる制御基板カバーと前記機械室を一体に覆う機械室カバーとにより２重に遮断する構成を備えたものであり、制御基板からのノイズを遮断するカバーが２重構造となり、制御基板からのノイズの発生を極力抑えることができる。
【００１９】
本発明の請求項２に記載の発明は、請求項１に記載の発明において、制御基板カバーと機械室カバーとの間に間隙を設けたものであり、圧縮機の排熱により温度上昇した機械室カバーから制御基板カバーへの熱伝導を防ぎ、制御基板の温度上昇が抑制される。
【００２０】
本発明の請求項３に記載の発明は、請求項２に記載の発明に、さらに、圧縮機を冷却する冷却ファンを圧縮機と制御基板の間に設け、機械室カバーの制御基板カバー対向部に冷却ファンの吸気口を設けたものであり、冷却ファンの吸気作用により吸気口から外部空気が取り入れられて制御基板カバーが冷却され、制御基板の温度上昇を抑えることができる。
【００２１】
本発明の請求項４に記載の発明は、請求項１から３のいずれか一項に記載の発明に、さらに、圧縮機と圧縮機の上部に設けたドライヤーとの間に機械室内の熱を排出する排気口を対向させた機械室カバーで機械室を覆うものであり、圧縮機の排熱がドライヤー下部の排気口より排気されてドライヤーの加熱を防ぐことができる。
【００２２】
【実施例】
以下、本発明による冷蔵庫の実施例について、図面を参照しながら説明する。なお、従来と同一構成については、同一符号を付して詳細な説明を省略する。
【００２３】
（実施例１）
図１は本発明の実施例１による冷蔵庫の要部断面図である。
【００２４】
図１において、５は冷蔵庫本体である。６は冷蔵庫本体５の下部後ろ側に形成した機械室であり、冷凍サイクルの構成部品である圧縮機７を配置している。８は冷蔵庫の電気部品を制御する電子制御部品を配置した制御基板であり、冷蔵庫本体５の下部後方で、かつ機械室６の上方の断熱壁中に形成された穴の中に埋設されており,断熱壁を介して機械室６に近接して設けられている。
【００２５】
９は鉄板により構成されたノイズを遮断する制御基板カバーであり、制御基板８を冷蔵庫本体５の背面側から、略密閉状態に覆っている。１０は鉄板により構成されたノイズを遮断する機械室カバーであり、機械室６及び制御基板カバー９を冷蔵庫本体５の背面側から覆って、制御基板８に対し２重にノイズを遮断する構成となっている。
【００２６】
以上のように構成された冷蔵庫において、以下その動作を説明する。
【００２７】
冷蔵庫運転中に、冷蔵庫内の温度を調節するために圧縮機７や庫内の冷却ファン（図示せず）、ダンパー（図示せず）などは制御基板８により制御される。この時、制御基板８を構成する電気部品の中にはノイズを発生し、他の電気製品に影響し誤動作や故障を誘発するものがある。
【００２８】
しかしながら、このような電気部品を含んだ制御基板８はノイズの遮断に効果がある鉄板により構成された略密閉状態に覆われた制御基板カバー９及びノイズを遮断する機械室カバー１０により外部と２重に遮断されている。
【００２９】
これにより、制御基板８から外部に漏れるノイズは大幅に低減される。
【００３０】
従って、制御基板８から発生するノイズによる他の電気製品の誤動作、故障を防ぐことができ、信頼性の高い冷蔵庫とすることができる。
【００３１】
尚、本実施例において、制御基板カバー９及び機械室カバー１０は鉄板により構成したが、ノイズを遮断する効果のある材料であれば同様の効果を得ることができる。また、本実施例では制御基板８は機械室６と区画された近傍部分に配置されているが、機械室６内の温度的な影響を被らない配置であれば機械室６内と連通した部分に配置されていてもよい。
【００３２】
（実施例２）
図２は本発明の実施例２による冷蔵庫の要部断面図である。
【００３３】
図２において、１１は制御基板カバー９と機械室カバー１０との間に形成された間隙である。
【００３４】
以上のように構成された冷蔵庫において、以下その動作を説明する。
【００３５】
長時間の運転により圧縮機７は摩擦熱、モーターの熱損失などにより温度上昇する。圧縮機７の温度上昇に従い、機械室６内が温度上昇し、熱伝達により機械室カバー１０は温度上昇する。
【００３６】
この時、機械室カバー１０と制御基板カバー９の間には、所定の間隙１１が形成されることによって密着されていないため、機械室カバー１０の温度上昇が制御基板カバー９に熱伝導により直接伝わることがない。従って、制御基板８の周辺雰囲気温度が高くならず温度上昇を防ぐことができ、信頼性の高い冷蔵庫を提供することができる。
【００３７】
なお、間隙１１の寸法としては、特に２〜１０ｍｍの範囲であればスペース効率を阻害せずに、しかも適度な温度上昇の抑制効果を得ることができる。
【００３８】
（実施例３）
図３は本発明の実施例３による冷蔵庫の背面図である。図４は同実施例による冷蔵庫の要部断面図である。
【００３９】
図３、図４において、１２は機械室６内の圧縮機７を冷却する冷却ファンである。１３は制御基板カバー９との間に間隙１１を設けた機械室カバーであり、制御基板カバー９との対向部に吸気口１４を設けている。
【００４０】
以上のように構成された冷蔵庫において、以下その動作を説明する。
【００４１】
冷蔵庫運転中、圧縮機７の温度上昇を防ぐため、冷却ファン１２により圧縮機７が冷却される。このとき、冷却ファン１２による吸い込み冷却風は機械室カバー１３の吸気口１４より吸い込まれる。
【００４２】
これにより吸気口１４と対向している制御基板カバー９の表面を外部の冷却風が流れるため、制御基板カバー９が冷却され、内部に収納された制御基板８もそれに伴い冷却され温度上昇が抑制されることになる。
【００４３】
従って、制御基板８の温度上昇による故障を防ぐことができ、信頼性の高い冷蔵庫を提供することができる。
【００４４】
尚、本実施例において吸気口１４は制御基板カバー９の対向部に設けることとしたが、冷却ファン１２による冷却風が制御基板カバー９の表面を流れる位置であればよく、本実施例の位置に限定されるものではない。
【００４５】
（実施例４）
図５は本発明の実施例４による冷蔵庫の背面図である。図５において、１５は圧縮機７より鉛直上方向に固定した冷凍サイクルのドライヤーである。１６は機械室カバーであり、圧縮機７より鉛直上方向で且つドライヤー１５より鉛直下方向に排気口１７を設けている。
【００４６】
以上のように構成された冷蔵庫について、以下その動作を説明する。
【００４７】
冷蔵庫運転中、圧縮機７の温度上昇を防ぐため、冷却ファン１２により圧縮機７が冷却される。このとき、圧縮機７を冷却した冷却風は圧縮機７より鉛直上方向且つドライヤー１５より鉛直下方向に設けた排気口１７より排気される。
【００４８】
このため、圧縮機７を冷却した高温の冷却風はドライヤー１５を通過せずに排気されることからドライヤー１５の加熱は抑えられ、フラッシュガスの発生や冷媒密度の減少を防ぐことができる。
【００４９】
従って、フラッシュガスなどによる冷蔵庫の冷却能力の低下を防ぐことができ、信頼性の高い冷蔵庫とすることができる。
【００５０】
尚、本実施例において、排気口１７はドライヤー１５よりも鉛直下方向としたが、圧縮機７を冷却した高温の冷却風がドライヤ１５を通過しない位置であれば多少の位置ずれは構わず、同様の効果が得られるものである。
【００５１】
また、本実施例では冷却ファン１２のある仕様で説明したが、冷却ファンが無い場合にも同様の効果が得られる。
【００５２】
【発明の効果】
以上説明したように請求項１に記載の発明は、制御基板を略密閉状態に覆うノイズを遮断する材料よりなる制御基板カバーと前記機械室を一体に覆う機械室カバーとにより２重に遮断する構成を備えているので、制御基板により発生したノイズにより他の電気製品へ悪影響を与えることを防ぐことができる。
【００５３】
また、請求項２に記載の発明は、請求項１に記載の発明において、制御基板カバーと機械室カバーの間に間隙を設けたため、圧縮機の熱が機械室カバーから制御基板カバーへ直接熱伝導することがないので制御基板の温度上昇を防ぐことができる。
【００５４】
また、請求項３に記載の発明は、請求項２に記載の発明に、さらに、機械室カバーの制御基板カバーとの対向部に吸気口を設けたため、制御基板カバー表面を冷却風が流れ、制御基板の冷却を促進することができる。
【００５５】
また、請求項４に記載の発明は、請求項１から３のいずれか一項に記載の発明に、さらに、機械室カバーの圧縮機の上部でドライヤーの下部に相当する部分に排気口を設けたため、圧縮機を冷却した高温の冷却風がドライヤーを通過しないで外部に排気される、フラッシュガスの発生や冷媒密度の減少による冷凍能力の減少を防ぐことができる。
【図面の簡単な説明】
【図１】本発明による冷蔵庫の実施例１の要部断面図
【図２】本発明による冷蔵庫の実施例２の要部断面図
【図３】本発明による冷蔵庫の実施例３の背面図
【図４】同実施例の冷蔵庫の要部断面図
【図５】本発明による冷蔵庫の実施例４の背面図
【図６】従来の冷蔵庫の断面図
【符号の説明】
５    冷蔵庫本体
６    機械室
７    圧縮機
８    制御基板
９    制御基板カバー
１０  機械室カバー
１１  間隙
１２  冷却ファン
１３  機械室カバー
１４  吸気口
１５  ドライヤー
１６  機械室カバー
１７  排気口
【図１】
0004304785.tif 000002
【図２】
0004304785.tif 000003
【図３】
0004304785.tif 000004
【図４】
0004304785.tif 000005
【図５】
0004304785.tif 000006
【図６】
0004304785.tif 000007